【手続補正書】
【提出日】平成28年6月1日(2016.6.1)
【手続補正１】
【補正対象書類名】特許請求の範囲
【補正対象項目名】全文
【補正方法】変更
【補正の内容】
【特許請求の範囲】
【請求項１】
少なくとも一つの生成物を含む、粉末材料から層毎に形成された物品を取ることと、
前記少なくとも一つの生成物の少なくとも選択領域を電気化学的に処理して、少なくとも前記選択領域を滑らかにすることと、
を備える物品製造方法。
【請求項２】
前記電気化学的処理に続き、物品のさらなる処理を含むことを特徴とする請求項１に記載の方法。
【請求項３】
前記さらなる処理は、前記物品の少なくとも一部に対するフライス加工を含むことを特徴とする請求項２に記載の方法。
【請求項４】
前記さらなる処理は、前記物品の少なくとも一部の粗面化を含むことを特徴とする請求項２または３に記載の方法。
【請求項５】
前記少なくとも前記選択領域を電気化学的に処理するのに使用される電気化学的処理装置の陰極は、前記電気化学的処理を前記選択領域に向けるように配置されることを特徴とする請求項１ないし４のいずれかに記載の方法。
【請求項６】
前記陰極が前記物品に物理的に結合していることを特徴とする請求項５に記載の方法。
【請求項７】
前記物品は、互いに結合した個別の生成物を複数含み、前記方法は、前記複数の生成物を同時に電気化学的に処理することを含み、さらに前記方法は、好ましくは前記生成物を互いに分離または取り外すことを含む、請求項１ないし６のいずれかに記載の方法。
【請求項８】
前記複数の生成物は共通の部材に取り付けられ、前記方法は、好ましくは前記共通の部材から前記複数の生成物を分離または取り外すことを含む、請求項７に記載の方法。
【請求項９】
前記陰極が前記複数の生成物を取り囲むことを特徴とする、請求項５を引用する場合の請求項８に記載の方法。
【請求項１０】
前記物品がレーザー圧密プロセスを介して形成されたものであることを特徴とする請求項１ないし９のいずれかに記載の方法。
【請求項１１】
前記物品がレーザー焼結プロセスまたはレーザー溶融プロセスを介して形成されたものであることを特徴とする請求項１ないし１０のいずれかに記載の方法。
【請求項１２】
粉末材料から層毎に物品を形成することさらに含むことを特徴とする請求項１ないし１１のいずれかに記載の方法。
【請求項１３】
初期状態において少なくとも一つの生成物を含む、粉末材料から層毎に形成された他の物品を続いて取ることと、前記少なくとも一つの生成物の少なくとも選択領域を電気化学的に処理して、少なくとも前記選択領域を滑らかにすることと、を備えることを特徴とする請求項１ないし１２のいずれかに記載の方法。
【請求項１４】
前記少なくとも１つの生成物は、少なくとも一つの歯科修復物である、または少なくとも一つの歯科修復物を備えることを特徴とする請求項１ないし１３のいずれかに記載の方法。
【請求項１５】
前記選択領域は、前記歯科修復物の歯肉貫通領域を含むことを特徴とする請求項１４に記載の方法。
【請求項１６】
前記電気化学的処理のプロセスで用いられる電解質の温度は、例えば少なくとも５℃、例えば少なくとも１０℃、例えば少なくとも１５℃であることを特徴とする請求項１ないし１５のいずれかに記載の方法。
【請求項１７】
前記電気化学的処理のプロセスで用いられる電解質の温度は、例えば少なくとも８０℃以下、例えば６０℃以下、例えば５０℃以下であることを特徴とする請求項１ないし１６のいずれかに記載の方法。
【請求項１８】
前記電気化学的処理のプロセスで用いられる陰極の表面積の、前記物品／陽極の表面積に対する比は、１０：１以下、例えば５：１以下、例えば２：１以下であることを特徴とする請求項１ないし１７のいずれかに記載の方法。
【請求項１９】
前記電気化学的処理のプロセスで使用される電流密度は、２０００Ａｍ-2未満、好ましくは１５００Ａｍ-2未満、例えば１０００Ａｍ-2の範囲であることを特徴とする請求項１ないし１８のいずれかに記載の方法。
【請求項２０】
前記電気化学的処理のプロセスで使用される駆動電圧は、３００ボルト未満、例えば２００ボルト以下、例えば５０ボルト以下、例えば１０ボルト以下、および／または、８から１５ボルトの間など５から３５ボルトの範囲であることを特徴とする請求項１ないし１９のいずれかに記載の方法。
【請求項２１】
前記電気化学的処理のプロセスに使用される電解質のギャップは、０．５ｍｍ超、例えば２．５ｍｍ超、例えば５ｍｍ超などの１ｍｍ超であることを特徴とする請求項１ないし２０のいずれかに記載の方法。
【請求項２２】
前記電気化学的処理は、前記物品の表面と電解質との間に生じる化学反応を介して前記物品の表面から材料を除去することを特徴とする請求項１ないし２１のいずれかに記載の方法。
【請求項２３】
前記電気化学的処理は、少なくとも前記領域の表面を酸化させ、電解質中に溶解させることを特徴とする請求項１ないし２２のいずれかに記載の方法。
【請求項２４】
前記電気化学的処理のプロセスで用いられる電解質は、電気化学的プロセス中で液体状態に維持されることを特徴とする請求項１ないし２３のいずれかに記載の方法。
【請求項２５】
実質的に前記選択領域のみを電気化学的に処理することを含むことを特徴とする請求項１ないし２４のいずれかに記載の方法。
【請求項２６】
前記電気化学処理のために、調整された電流源を使用することを特徴とする請求項１ないし２５のいずれかに記載の方法。
【請求項２７】
物品の少なくとも選択領域を電気化学的に処理して、少なくとも前記選択領域を滑らかにするための電気化学処理装置であって、
前記物品により提供される陽極と、
前記物品の近くに位置づけられ、前記選択領域で前記電気化学的処理の焦点合わせが行われるように位置づけられる陰極と、
を含むことを特徴とする電気化学処理装置。
【請求項２８】
前記陰極は、前記電気化学的処理の間に、物理的に前記物品に固定されることを特徴とする請求項２７に記載の装置。
【請求項２９】
前記物品は、共通の部材に取り付けられた個別の生成物を複数含むことを特徴とする請求項２７または２８に記載の装置。
【請求項３０】
前記陰極は、電気絶縁性バリア部材を介して前記共通の部材に物理的に固定されることを特徴とする請求項２９に記載の装置。
【請求項３１】
前記陰極が、前記選択領域の近くの前記物品の側に配置されていることを特徴とする請求項２７ないし３０のいずれかに記載の装置。
【請求項３２】
前記陰極は、前記物品の前記選択領域の形状に概ね対応する領域に設けられていることを特徴とする請求項２７ないし３１のいずれかに記載の装置。
【請求項３３】
前記陰極は、前記物品の前記選択領域で、前記物品の周りに少なくとも部分的に延在していることを特徴とする請求項２７ないし３２のいずれかに記載の装置。
【請求項３４】
前記陰極はトラフを備え、前記物品の少なくとも一部は、前記物品の前記選択領域で、前記トラフに少なくとも部分的に位置づけられることを特徴とする請求項２７ないし３３のいずれかに記載の装置。
【請求項３５】
前記陰極は、電解質が前記陰極を通して通過することができる少なくとも１つの通路を含むことを特徴とする請求項２７ないし３４のいずれかに記載の装置。
【請求項３６】
調整された電流源を備えることを特徴とする請求項２７ないし３５のいずれかに記載の装置。
【請求項３７】
電気化学的プロセスにおいて請求項２７から請求項３６のいずれかに記載の電気化学的処理装置を用いることを特徴とする請求項１ないし２６のいずれかに記載の方法。
【請求項３８】
少なくとも第１の電気化学的に処理された領域を含む、選択的レーザー焼結または選択的レーザー溶融された生成物。
【請求項３９】
歯科修復物であることを特徴とする請求項３８に記載の生成物。
【請求項４０】
請求項１ないし２６のいずれかに記載の方法により製造された生成物または物品。